(57)【要約】【課題】ランプ管の口金部を確実に装着でき、かつ、ランプピンを確実に接続させることができるランプソケットおよび照明器具を提供する。【解決手段】照明器具１０は、ソケット本体２１にスライド移動可能に収納された端子ボックス２４を備えている。端子ボックス２４はランプピン１８を保持するランプピン保持部２９ａが設けられた導電板を有する。そして、口金部１６で端子ボックス２４をソケット本体２１に押し込むことにより、ランプピン保持部２９ａがランプピン１８の係止部１９に移動して係止、導通する。一方、ソケット本体２１に端子ボックス２４を再度一度押し込むことによりランプピン保持部２９ａがランプピン１８の係止部１９から離脱する。【選択図】図４
2010198784.tif 000002
【特許請求の範囲】
【請求項１】
直管蛍光灯のランプ管の両端側近傍に設けられた口金部を保持するランプソケットにおいて、
ソケット本体と、
ソケット本体にスライド移動可能に収納された端子ボックスと、を備え、
前記端子ボックスは、前記口金部から突出したランプピンを保持するランプピン保持部が設けられた導電板を有し、
前記口金部で端子ボックスをソケット本体に押し込むことにより、前記ランプピン保持部が前記ランプピンの係止部に移動して係止、導通するとともに、前記端子ボックスに設けられたロック機構で前記係止、導通する位置にロックされて前記ランプ管を保持し、前記ソケット本体に前記端子ボックスを再度一度押し込むことにより前記ランプピン保持部が前記ランプピンの係止部から離脱することを特徴とするランプソケット。
【請求項２】
前記ソケット本体と前記端子ボックスとの間に前記ランプピン保持部が配置され、
前記端子ボックスが前記ソケット本体内をスライド移動することにより前記ランプピン保持部が移動することを特徴とする請求項１記載のランプソケット。
【請求項３】
前記ソケット本体の外郭は、
前記ランプ管に対向する面が前記導電板の先端より高く、かつ、前記口金部を押込み方向に案内可能に側面壁間の幅寸法が設定され、
前記ランプ管を保持する際に、前記側面壁と前記口金部とが最初に接することを特徴とする請求項１記載のランプソケット。
【請求項４】
請求項１〜３記載のいずれかのランプソケットを備えた照明器具。
【発明の詳細な説明】
【技術分野】
【０００１】
本発明は、直管蛍光管の口金部をランプソケットに保持することで、口金部に突設されたランプピンがランプソケットの導電部に通電可能に接続されるランプソケットおよび照明器具に関する。
【背景技術】
【０００２】
従来の照明器具１００は、図９に示すように、ランプソケット１０１に弾性部材なる導電可能な保持部１０２が設けられ、蛍光ランプ１０３に直管蛍光管１０４の軸方向に対して直交する方向に向けてランプピン１０６が突設された口金部１０５が設けられている。口金部１０５の側面に突起１０５ａが設けられている。
ランプソケット１０１にランプピン１０６を差し込む際に、ランプピン１０６を保持部１０２間に差し込むことで、弾性変形可能な保持部１０２で口金部１０５の突起１０５ａを挟持して蛍光ランプ１０３をランプソケット１０１に設置および保持できる。
【０００３】
一方、蛍光ランプ１０３をランプソケット１０１から取り外す際には、蛍光ランプ１０３をランプソケット１０１から離れる方向（すなわち、下方）に引張る。
これにより、ランプソケット１０１からランプピン１０６を引き抜くとともに、弾性変形可能な保持部１０２による口金部１０５（突起１０５ａ）の挟持を解除して蛍光ランプ１０３を取り外すことができる（例えば、特許文献１参照。）。
【先行技術文献】
【特許文献】
【０００４】
【特許文献１】特開２００８−１１７６８号公報
【発明の概要】
【発明が解決しようとする課題】
【０００５】
ここで、従来の照明器具１００は、弾性変形可能な保持部１０２で口金部１０５の突起１０５ａを挟持することで蛍光ランプ１０３をランプソケット１０１に設置および保持している。
よって、ランプ管が衝撃や振動で外れないようにするために、弾性変形可能な保持部１０２のばね圧を上げる必要がある。
【０００６】
しかし、保持部１０２のばね圧を上げると、口金部１０５の突起１０５ａを保持部１０２間に押し込む操作が難しくなり、十分に押し込まれずに中途半端な装着になることが考えられる。
また、中途半端な装着状態では、ランプピント１０６の接触も不十分になることが考えられる。
【０００７】
本発明の目的は、上記従来の問題点に鑑みてなされたものであり、ランプ管の口金部を確実に装着でき、かつ、ランプピンを確実に接続させることができるランプソケットおよび照明器具を提供することを課題とする。
【課題を解決するための手段】
【０００８】
本発明は、直管蛍光灯のランプ管の両端側近傍に設けられた口金部を保持するランプソケットにおいて、ソケット本体と、ソケット本体にスライド移動可能に収納された端子ボックスと、を備え、前記端子ボックスは、前記口金部から突出したランプピンを保持するランプピン保持部が設けられた導電板を有し、前記口金部で端子ボックスをソケット本体に押し込むことにより、前記ランプピン保持部が前記ランプピンの係止部に移動して係止、導通するとともに、前記端子ボックスに設けられたロック機構で前記係止、導通する位置にロックされて前記ランプ管を保持し、前記ソケット本体に前記端子ボックスを再度一度押し込むことにより前記ランプピン保持部が前記ランプピンの係止部から離脱することを特徴とする。
【０００９】
また、本発明は、前記ソケット本体と前記端子ボックスとの間に前記ランプピン保持部が配置され、前記端子ボックスが前記ソケット本体内をスライド移動することにより前記ランプピン保持部が移動することを特徴とする。
【００１０】
さらに、本発明は、前記ソケット本体の外郭は、前記ランプ管に対向する面が前記導電板の先端より高く、かつ、前記口金部を押込み方向に案内可能に側面壁間の幅寸法が設定され、前記ランプ管を保持する際に、前記側面壁と前記口金部とが最初に接することを特徴とする。
【００１１】
また、本発明は、前記ランプソケットを照明器具に備えたことを特徴とする。
【発明の効果】
【００１２】
本発明では、口金部で端子ボックスをソケット本体に押し込むことにより、ランプピン保持部がランプピンの係止部に移動して係止、導通するようにした。
よって、端子ボックスを口金部でソケット本体内に押し込むことにより、ランプピン保持部（導電板）がランプピンの係止部に係合、導通して、ランプ管をランプソケットに保持できる。
これにより、ランプ管の口金部を確実に装着でき、かつ、ランプピンを確実に接続させることができる。
【００１３】
さらに、口金部で端子ボックスをソケット本体内に再度押し込むことにより、ロック機構による端子ボックスのロック状態が解除され、端子ボックスがソケット本体から押し出される。
端子ボックスがソケット本体から押し出されることで、ランプピン保持部がランプピンの係止部から離脱してランプ管をランプソケットから外すことができる。
【００１４】
よって、口金部で端子ボックスをソケット本体内に押し込むだけの操作でランプ管の着脱ができる。これにより、従来の照明器具のようにランプ管を掴んで着脱する必要がないのでランプ管の着脱操作が容易になり、ランプ管の交換の際の作業性を向上させることができる。
また、ランプ管を掴んで着脱する必要がないのでランプ管を掴むスペースを不要にできる。これにより、ランプソケットの幅寸法をランプ管の外径に近づけて照明器具を細く設計できる。
【００１５】
また、本発明では、端子ボックスがソケット本体内をスライド移動することによりランプピン保持部が移動する。
よって、端子ボックスがソケット本体内に押し込まれていない状態においてランプピン保持部（導電板）をランプピンの係止部から離すことができ、端子ボックスがソケット本体内に押し込まれた状態においてランプピン保持部（導電板）をランプピンの係止部に係合させてランプ管をランプピン保持部（導電板）で確実に保持できる。
【００１６】
さらに、本発明では、ソケット本体の外郭のうち、ランプ管に対向する面を導電板の先端より高く、かつ、側面壁間の幅寸法を口金部が押込み方向に案内可能となるように設定した。そして、ランプ管を保持する際に、側面壁と口金部とが最初に接するようにした。
よって、口金部をソケット本体に押し込む際に、口金部がソケット本体の側面壁と最初に接し、側面壁で口金部を押込み方向に安定させた状態で案内することができる。
このように、口金部を押込み方向に安定させた状態で案内することで、口金部で端子ボックスを安定させた状態で確実に押し込むことができる。
【００１７】
また、本発明では、ランプソケットを備えた照明器具においては、ランプ管の幅よりも内側においてランプ管の着脱操作をおこなうことができる。
これにより、照明器具を幅方向に隣接して設置でき、隣接するランプ管間の隙間を小さく抑えることが可能になり、幅方向につながりのある光源が実現できる。
【図面の簡単な説明】
【００１８】
【図１】本発明に係る照明器具を示す斜視図
【図２】本発明に係る左側のランプソケットを示す斜視図
【図３】本発明に係る右側のランプソケットを示す斜視図
【図４】本発明に係る左側のランプソケットを示す分解斜視図
【図５】本発明に係る右側のランプソケットを示す分解斜視図
【図６】本発明に係るランプソケットに蛍光ランプを保持する前の状態を示す斜視図
【図７】本発明に係るランプソケットに蛍光ランプを保持した状態を示す断面図
【図８】本発明に係る照明器具を複数並列に設けた状態を示す底面図
【図９】従来のランプソケットを示す斜視図
【発明を実施するための形態】
【００１９】
本発明を実施するための最良の形態を添付図に基づいて以下に説明する。
【００２０】
（第１実施形態）
第１実施形態に係る照明器具１０について説明する。
図１〜図３に示すように、照明器具１０は、天井などにベース１１を介して取付可能なランプソケット１２と、ランプソケット１２に着脱可能な蛍光ランプ１３と備えている。
蛍光ランプ１３は、直管蛍光管（ランプ管）１５と、直管蛍光管１５の両端１５ａ近傍に設けられた口金部１６とを備えている。
【００２１】
図４〜図５に示すように、口金部１６は、略矩形体に形成され、直管蛍光管１５の軸方向に対して直交する方向にランプピン１８が突設されている。
ランプピン１８は、先端に外側に向けて折り曲げられた係止部１９が設けられている。
【００２２】
ランプソケット１２は、ベース１１（図１参照）に取付可能なソケット本体２１と、ソケット本体２１の端子収納部２２に突没自在に収納された端子ボックス２４と、端子ボックス２４をソケット本体２１に押し込んだ位置に保持可能なロック機構２５と、端子ボックス２４をソケット本体２１から押し出す方向に付勢するコイルスプリング２６とを備えている。
【００２３】
端子ボックス２４は、ボックス状のボディ２７と、ボディ２７の導電板収納部２８内に支持された導電板２９と、導電板収納部２８の開口を塞ぐ本体カバー３１とを備えている。
ボディ２７に電線挿入孔２７ｂが形成され、電線挿入孔２７ｂを経て挿通された接続電線３０（図１参照）が導電板２９に接続されている。
本体カバー３１は、口金部１６に対向する面から口金部１６に向けて突出された口金当接部３２を備えている。
【００２４】
ソケット本体２１は、ランプソケット１２の本体を構成するブロック状のケーシングで、端子収納部２２が形成されている。
【００２５】
端子収納部２２には、コイルスプリング２６および端子ボックス２４が収納されている。具体的には、コイルスプリング２６が端子収納部２２に収納され、さらに、コイルスプリング２６に重ねるように端子ボックス２４が配置された状態で端子収納部２２に収納されている。
端子収納部２２は、本体カバー３１で開口が塞がれている。
【００２６】
ソケット本体２１には、ロック機構２５のスイングレバー３３が支持ピン３４で揺動自在に支持されている。
具体的には、ソケット本体２１の支持孔２１ａにスイングレバー３３の支持ピン３４が回動自在に嵌合されている。
【００２７】
スイングレバー３３の先端部には係止ピン３５が設けられている。係止ピン３５はロック機構２５のガイド溝３６に移動自在に嵌入され、いわゆる、ハートカム３７に沿って移動自在に支持されている。
ガイド溝３６およびハートカム３７は、ボディ２７の壁面２７ａに設けられている。
【００２８】
係止ピン３５はロック機構２５のガイド溝３６に移動自在に嵌入されることで、端子ボックス２４がソケット本体２１の端子収納部２２から抜け出すことを防止する。
さらに、係止ピン３５をハートカム３７の凹部３７ａに係止することで、端子ボックス２４をコイルスプリング２６の付勢力に抗してランプ管保持位置Ｐ１（図７参照）に保持することができる。
【００２９】
端子ボックス２４がランプ管保持位置Ｐ１に保持されることで、導電板２９のランプピン保持部（先端）２９ａがランプピン１８の係止部１９に係止される。
端子ボックス２４には一対の導電板２９が収納されている。導電板２９は、先端部に内側に向けてランプピン保持部２９ａが折り曲げられている。
【００３０】
一対の導電板２９は、図６に示すように、ボディ２７とソケット本体２１の側面壁（外郭）２１ｂとの間において、ソケット本体２１の側面壁（外郭）２１ｂ側に向けて傾斜された状態で端子ボックス２４に収納されている。
【００３１】
一対の導電板２９は、弾性変形可能な部材である。よって、一対の導電板２９は、端子ボックス２４の押込み／抜出し動作に応じて、基部２９ｂを支点にして口金部１６に対して直交する方向（すなわち、端子ボックス２４の動作方向に対して直交する方向）に弾性変形可能（すなわち、スイング移動可能）である。
【００３２】
よって、図６に示すように、端子ボックス２４がソケット本体２１の端子収納部２２に押し込まれていない状態においてランプピン保持部２９ａをランプピン１８の係止部１９から離すことができる。
【００３３】
一方、図７に示すように、端子ボックス２４がソケット本体２１の端子収納部２２に押し込まれた状態においてランプピン保持部２９ａをランプピン１８の係止部１９に係合させて蛍光ランプ１３をランプピン保持部２９ａ（すなわち、導電板２９）で確実に保持できる。
これにより、蛍光ランプ１３の口金部１６を確実に装着でき、かつ、ランプピン１８を確実に接続させることができる。
【００３４】
図６に示すように、ソケット本体２１は、側面壁（外郭）２１ｂ間の幅寸法Ｗ１を口金部１６が押込み方向（矢印Ａ方向）に安定的に案内可能に設定されている。
具体的には、側面壁（外郭）２１ｂに口金部１６が接触するように、側面壁（外郭）２１ｂ間の幅寸法Ｗ１を、口金部１６の幅寸法を僅か大きく設定した。
【００３５】
そして、ソケット本体２１は、直管蛍光管１５に対向する面（外郭）２１ｃが導電板２９のランプピン保持部２９ａより高く設定されている。
よって、蛍光ランプ１３を保持する際に、側面壁２１ｂと口金部１６とが最初に接する。
【００３６】
これにより、口金部１６をソケット本体２１に押し込む際に、口金部１６がソケット本体２１の側面壁２１ｂと最初に接し、側面壁２１ｂで口金部１６を押込み方向に安定させた状態で案内することができる。
このように、口金部１６を押込み方向に安定させた状態で案内することで、口金部１６で端子ボックス２４（具体的には、口金当接部３２）を安定させた状態で確実に押し込むことができる。
【００３７】
また、蛍光ランプ１３をランプソケット１２から外した状態において、導電板２９は、端子収納部２２の出口側の幅広エリア２２ａに収納されている。
この状態で、ランプピン保持部２９ａ間の間隔Ｗ１は、ランプピン１８の係止部１９間の寸法より僅かに大きく設定されている。
よって、一対のランプピン１８の係止部１９を、一対のランプピン保持部２９ａ間に差し込むことができる。
【００３８】
一方、図７に示すように、蛍光ランプ１３をランプソケット１２に取り付けた状態において、導電板２９の基部２９ｂが、端子収納部２２の奥側の幅狭エリア２２ｂに収納されている。
よって、ランプピン保持部２９ａが幅狭エリア２２ｂの側壁に当接して、ランプピン１８の係止部１９側に弾性変形する。
これにより、ランプピン保持部２９ａをランプピン１８の係止部１９に係止することができる。
【００３９】
つぎに、蛍光ランプ１３をランプソケット１２に係止する操作例を図６〜図７に基づいて説明する。
まず、蛍光ランプ１３をランプソケット１２で保持する操作例を図６に基づいて説明する。
図６において、蛍光ランプ１３の口金部１６をランプソケット１２の端子ボックス２４に対向させる。
【００４０】
この状態で、蛍光ランプ１３の口金部１６をランプソケット１２の端子ボックス２４に向けて矢印Ａ方向に移動することで、口金部１６がソケット本体２１の側面壁２１ｂと最初に接する。
よって、側面壁２１ｂで口金部１６を押込み方向に安定させた状態で案内することができる。
【００４１】
このように、口金部１６を押込み方向に安定させた状態で案内した後、口金部１６が端子ボックス２４の口金当接部３２に当接し、端子ボックス２４（具体的には、口金当接部３２）を安定させた状態で確実に押し込む。
【００４２】
口金部１６が押込み方向に安定させた状態で案内されることで、口金部１６で端子ボックス２４（具体的には、口金当接部３２）を安定させた状態で矢印Ａ方向に確実に押し込むことができる。
口金部１６で口金当接部３２を押圧することで、端子ボックス２４がコイルスプリング２６の付勢力に抗してソケット本体２１に押し込まれる。
【００４３】
ここで、一対の導電板２９は、弾性変形可能で、かつ、ソケット本体２１の両側面壁２１ｂにそれぞれ当接されている。
よって、口金当接部３２、すなわち端子ボックス２４がソケット本体２１に押し込まれることで、一対の導電板２９が基部２９ｂを支点にして矢印Ｂ方向参照、すなわち、端子ボックス２４の動作方向に対して直交する方向にスイング移動する。
【００４４】
端子ボックス２４が、図７に示すように、ランプ管保持位置Ｐ１まで押し込まれ、一対の導電板２９のランプピン保持部２９ａがランプピン１８の係止部１９に係合する。
この状態で、図４に示すロック機構２５の係止ピン３５がハートカム３７の凹部３７ａに係止する。
【００４５】
よって、端子ボックス２４がコイルスプリング２６の付勢力に抗してランプ管保持位置Ｐ１に保持される。
端子ボックス２４がランプ管保持位置Ｐ１に保持されることで、蛍光ランプ１３がランプソケット１２に保持される。
この状態で、ランプ管保持位置Ｐ１からさらに押込可能な押込代が確保されている。
【００４６】
このように、ソケット本体２１に端子ボックス２４を押し込んだ位置にロック機構２５で保持した状態において、ランプピン保持部２９ａがランプピン１８の係止部１９に係合するようにした。
よって、端子ボックス２４を口金部１６でソケット本体２１内に押し込むことにより、ランプピン保持部（導電板）２９ａが口金部１６に係合して蛍光ランプ１３をランプソケット１２に保持できる。
【００４７】
つぎに、蛍光ランプ１３をランプソケット１２から取り外す操作例を図７に基づいて説明する。
図７において、ランプ管保持位置Ｐ１の端子ボックス２４および受金部３３を口金部１６で矢印Ａ方向にさらに押し込むことで、図４に示すロック機構２５の係止ピン３５がハートカム３７の凹部３７ａ（図２参照）から外れる。
ロック機構２５の係止ピン３５がハートカム３７の凹部３７ａから外れることで、端子ボックス２４がコイルスプリング２６の付勢力でランプ管保持位置Ｐ１から押し出される。
【００４８】
端子ボックス２４がランプ管保持位置Ｐ１から押し出されることで、一対の導電板２９が基部２９ｂを支点にして矢印Ｃ方向、すなわち、端子ボックス２４の動作方向に対して直交する方向にスイング移動する。
【００４９】
一対の保持片４８が矢印Ｃ方向にスイング移動することで、一対の導電板２９のランプピン保持部２９ａがランプピン１８の係止部１９から離れる。
一対の導電板２９のランプピン保持部２９ａがランプピン１８の係止部１９から離れることで、蛍光ランプ１３がランプソケット１２から外される。
【００５０】
このように、ソケット本体２１に端子ボックス２４を押し込んだ位置にロック機構２５で保持した状態において、一対の導電板２９のランプピン保持部２９ａがランプピン１８の係止部１９に係合し、ソケット本体２１に端子ボックス２４を再度一度押し込むことにより一対の導電板２９のランプピン保持部２９ａがランプピン１８の係止部１９から離脱することができる。
【００５１】
このように、口金部１６で端子ボックス２４をソケット本体２１内に再度押し込むことにより、ロック機構２５による端子ボックス２４のロック状態が解除され、端子ボックス２４がソケット本体２１から押し出される。
端子ボックス２４がソケット本体２１から押し出されることで、蛍光ランプ１３をランプソケット１２から外すことができる。
【００５２】
すなわち、図６〜図７で説明したように、口金部１６で端子ボックス２４をソケット本体２１内に押し込むだけの操作で蛍光ランプ１３の着脱ができる。
これにより、従来の照明器具のように蛍光ランプ１３を掴んで着脱する必要がないので蛍光ランプの着脱操作が容易になり、蛍光ランプ１３の交換の際の作業性を向上させることができる。
【００５３】
また、蛍光ランプ１３を掴んで着脱する必要がないので蛍光ランプ１３を掴むスペースを不要にできる。これにより、ランプソケット１２の幅寸法を蛍光ランプ１３の外径に近づけて照明器具１０を細く設計できる。
【００５４】
さらに、図８に示すように、照明器具１０にランプソケット１２を備えることで、蛍光ランプ１３の幅よりも内側において蛍光ランプ１３の着脱操作をおこなうことができる。
これにより、照明器具１０を幅方向に隣接して設置でき、隣接する蛍光ランプ１３間の隙間Ｓを小さく抑えることが可能になり、幅方向につながりのある光源が実現できる。
【００５５】
なお、本発明に係る照明器具１０は、前述した実施形態に限定されるものではなく適宜変更、改良などが可能である。
例えば、第１実施形態では、端子ボックス２４の本体カバー３１に口金当接部３２を備え、口金当接部３２を口金部１６で押し込む例について例示したが、これに限らないで、口金部１６に当接部（すなわち、口金当接部３２）を備え、この当接部で端子ボックス２４の本体カバー３１を押し込むことも可能である。
【００５６】
また、第１実施形態で示した照明器具１０、ランプソケット１２、蛍光ランプ１３、直管蛍光管１５、口金部１６、ランプピン１８、係止部１９、ソケット本体２１、直管蛍光管に対向する面（外郭）２１ａ、側面壁（外郭）２１ｂ、端子ボックス２４、ロック機構２５、導電板２９およびランプピン保持部２９ａなどの形状や構成は例示したものに限定するものではなく適宜変更が可能である。
【符号の説明】
【００５７】
１０  照明器具
１２  ランプソケット
１３  蛍光ランプ
１５  直管蛍光管（ランプ管）
１５ａ  直管蛍光管の両端
１６  口金部
１８  ランプピン
１９  係止部
２１  ソケット本体
２１ｃ  直管蛍光管に対向する面（外郭）
２１ｂ  側面壁（外郭）
２４  端子ボックス
２５  ロック機構
２９  導電板
２９ａ  ランプピン保持部
Ｗ１  幅寸法
【図１】
2010198784.tif 000003
【図２】
2010198784.tif 000004
【図３】
2010198784.tif 000005
【図４】
2010198784.tif 000006
【図５】
2010198784.tif 000007
【図６】
2010198784.tif 000008
【図７】
2010198784.tif 000009
【図８】
2010198784.tif 000010
【図９】
2010198784.tif 000011